(57)【要約】【課題】  ハードディスク搭載レコーダー本体の開発負担を増加せず、ハードディスクの容量を擬似的に増加可能とする。【解決手段】  このセット本体３７及び増設ハードディスク(HDD）ボックス１０は、５２で示すマイコン2により、３９で示す内蔵HDD1の識別情報を５６で示すフラッシュROM1から５３で示すフラッシュROM２に退避させ、着脱可能に装着された３２で示す増設HDD2の識別情報を取得して５６で示すフラッシュROM1に更新して記録し、５６で示すフラッシュROM1に更新して記録された３２で示す増設HDD2の識別情報に基づいて３２で示す増設HDD2に情報の記録又は再生のためにアクセスを制御する。【選択図】        図３
2006163818.tif 000002
【特許請求の範囲】
【請求項１】
内蔵された第１の記録媒体の識別情報を第１の記録領域に記録し、上記第１の記録媒体の識別情報に基づいて上記第１の記録媒体に情報の記録又は再生のためにアクセスする情報処理装置において、
上記第１の記録媒体の識別情報を上記第１の記録領域から第２の記録領域に退避させる退避手段と、
着脱可能に装着された第２の記録媒体の識別情報を取得して上記第１の記録領域に更新して記録する更新手段と、
上記第１の記録領域に更新して記録された上記第２の記録媒体の識別情報に基づいて上記第２の記録媒体に情報の記録又は再生のためにアクセスする制御手段と
を備えたことを特徴とする情報処理装置。
【請求項２】
請求項１記載の情報処理装置において、
上記制御手段は、上記第１の記録領域に記録される上記第１の記録媒体の識別情報又は上記第２の記録媒体の識別情報に応じて、上記第１の記録媒体又は上記第２の記録媒体に対するアクセス経路を切り替える切替手段
を備えたことを特徴とする情報処理装置。
【請求項３】
請求項２記載の情報処理装置において、
上記制御手段は、上記切替手段による上記アクセス経路の切替状態と、上記アクセス経路の選択を可能とする選択手段による上記アクセス経路の選択状態とが相違するとき、上記切替手段による上記アクセス経路の切替状態を上記選択手段による上記アクセス経路の選択状態に整合させる
ことを特徴とする情報処理装置。
【請求項４】
請求項３記載の情報処理装置において、
上記制御手段は、上記選択手段により上記第２の記録媒体に対するアクセス経路の選択状態で上記第２の記録媒体が離脱されたとき、上記切替手段により上記第１の記録媒体に対するアクセス経路の切替状態にする
ことを特徴とする情報処理装置。
【請求項５】
請求項３記載の情報処理装置において、
上記制御手段は、上記切替手段により上記第２の記録媒体に対するアクセス経路の切替状態から上記選択手段により上記第１の記録媒体に対するアクセス経路の選択状態が選択されたとき、上記切替手段により上記第１の記録媒体に対するアクセス経路の切替状態にする
ことを特徴とする情報処理装置。
【請求項６】
請求項１記載の情報処理装置において、
上記第１の記録媒体は内蔵型ハードディスクであり、上記第２の記録媒体は増設型ハードディスクである
ことを特徴とする情報処理装置。
【請求項７】
請求項６記載の情報処理装置において、
上記増設型ハードディスクが着脱可能に装着される増設部と上記内蔵型ハードディスクが設けられる本体部とは専用接続部により接続される
ことを特徴とする情報処理装置。
【請求項８】
内蔵された第１の記録媒体の識別情報を第１の記録領域に記録し、上記第１の記録媒体の識別情報に基づいて上記第１の記録媒体に情報の記録又は再生のためにアクセスする情報処理方法において、
上記第１の記録媒体の識別情報を上記第１の記録領域から第２の記録領域に退避させる退避ステップと、
着脱可能に装着された第２の記録媒体の識別情報を取得して上記第１の記録領域に更新して記録する更新ステップと、
上記第１の記録領域に更新して記録された上記第２の記録媒体の識別情報に基づいて上記第２の記録媒体に情報の記録又は再生のためにアクセスする制御ステップと
を備えたことを特徴とする情報処理方法。
【請求項９】
請求項８記載の情報処理方法において、
上記制御ステップは、上記第１の記録領域に記録される上記第１の記録媒体の識別情報又は上記第２の記録媒体の識別情報に応じて、上記第１の記録媒体又は上記第２の記録媒体に対するアクセス経路を切り替える切替ステップ
を備えたことを特徴とする情報処理方法。
【請求項１０】
請求項９記載の情報処理方法において、
上記制御ステップは、上記切替ステップによる上記アクセス経路の切替状態と、上記アクセス経路の選択を可能とする選択ステップによる上記アクセス経路の選択状態とが相違するとき、上記切替ステップによる上記アクセス経路の切替状態を上記選択ステップによる上記アクセス経路の選択状態に整合させる
ことを特徴とする情報処理方法。
【請求項１１】
請求項１０記載の情報処理装置において、
上記制御ステップは、上記選択ステップにより上記第２の記録媒体に対するアクセス経路の選択状態で上記第２の記録媒体が離脱されたとき、上記切替ステップにより上記第１の記録媒体に対するアクセス経路の切替状態にする
ことを特徴とする情報処理方法。
【請求項１２】
請求項１０記載の情報処理方法において、
上記制御ステップは、上記切替ステップにより上記第２の記録媒体に対するアクセス経路の切替状態から上記選択ステップにより上記第１の記録媒体に対するアクセス経路の選択状態が選択されたとき、上記切替ステップにより上記第１の記録媒体に対するアクセス経路の切替状態にする
ことを特徴とする情報処理方法。
【発明の詳細な説明】
【技術分野】
【０００１】
本発明は、オーディオ・ビデオ機器、ハードディスク（HDD）搭載ディジタル・バーサタイル・ディスク（DVD）レコーダー、ハードディスク搭載レコーダー、ディジタル・バーサタイル・ディスクレコーダー等に関する。
【背景技術】
【０００２】
従来、ハードディスクの増設を可能とするために、部品としてのハードディスクには、マスター・スレーブ設定と呼ばれる機能が設けられていた（特許文献１参照）。
【０００３】
ハードディスク搭載レコーダーにハードディスクを増設する場合、本体マイコン（マイクロコンピュータ）はハードディスクのマスター・スレ−ブの識別をしてハードディスクが２機あるという認識による処理を行っていた。
【特許文献１】特開２００１−１２５７４８号公報
【発明の開示】
【発明が解決しようとする課題】
【０００４】
このため、マスター・スレ−ブ識別のためのオン・スクリーン・ディスプレイ（OSD）表示、ハードディスク２機を制御するプログラム、本体システムコントローラの負荷、開発負担が大きかった。
【０００５】
また、マスター側ハードディスクのみがハードディスクのシリアル番号や容量、メーカー名、型番、ファームウエア情報などを示す識別情報を識別できるため、スレーブ側ハードディスクでは、ハードディスクの識別情報を管理できないシステムしか構築できなかった。
【０００６】
その場合も本体システムコントローラのプログラムを変更することが必要で、且つスレーブ設定したハードディスクにおいてはシリアル番号などの識別ができずに、無作為にハードディスクの容量変更が必要になってしまう危険性を伴っていた。
【０００７】
また、内蔵ハードディスクを入替え可能とするシステムにおいては、製造初期に内蔵されるハードディスクの識別情報を識別せずに、内蔵ハードディスクの入替えが可能なシステムであるため、ハードディスク容量による差別化ができなくなる恐れや大容量の上位モデルに拡張する戦略に支障をきたすことが考えられる。
【０００８】
ハードディスク搭載レコーダー本体の開発期間は短縮化され、これ以上開発負担を増やすことはできなくなっている。かつ、増大するハードディスク搭載ディジタル・バーサタイル・ディスクレコーダーにおいて、ハードディスク容量での差別化による大容量の上位モデルに拡張する戦略は今後も必要不可欠である。
【０００９】
そこで、本発明は、ハードディスク搭載レコーダー本体の開発負担を増加せず、ハードディスクの容量を擬似的に増加可能な装置を提供することを目的とするものである。
【００１０】
また、製造初期に搭載されるハードディスクは識別情報で保護され、ハードディスク容量での差別化による大容量の上位モデルに拡張する戦略を維持したまま専用周辺機器として、新たなる差別化の要素を創出できることを可能とすることを目的とする。
【課題を解決するための手段】
【００１１】
上記課題を解決し、本発明の目的を達成するため、本発明の情報処理装置は、第１の記録媒体の識別情報を第１の記録領域から第２の記録領域に退避させる退避手段と、着脱可能に装着された第２の記録媒体の識別情報を取得して第１の記録領域に更新して記録する更新手段と、第１の記録領域に更新して記録された第２の記録媒体の識別情報に基づいて第２の記録媒体に情報の記録又は再生のためにアクセスする制御手段とを備えたものである。
【００１２】
これにより、退避手段及び更新手段を用いて第１の記録媒体の識別情報と第２の記録媒体の識別情報とを入れ替えることにより、制御手段に対して更新された識別情報に対応した記録媒体を認識させることができる。制御手段は、初期搭載された記録媒体以外使用できないように識別情報を判別をすることにより、ユニークな記録媒体の判別を行い、動作可能の許可を制御する仕組みとしている。
【００１３】
制御手段による動作可能の許可の制御は、退避手段により第１の記録媒体の識別情報を第１の記録領域から第２の記録領域に退避させ、更新手段により着脱可能に装着された第２の記録媒体の識別情報を取得して第１の記録領域に更新して記録することにより識別情報を書き換えられるシステムを構築して、第２の記録媒体が使用できるように設定を行う。
【００１４】
また、内蔵型の第１の記録媒体へ切り替えた場合は第２の記録領域に退避させた第１の記録媒体の識別情報を再度第１の記録領域に読み込み、初期の第１の記録媒体の動作可能の許可をする。
【００１５】
内蔵型の第１の記録媒体と着脱可能に装着された第２の記録媒体とのアクセス経路を識別情報に応じて切り替えるために切替手段を設ける。また、アクセス経路の選択を可能とする選択手段を追加する。
【００１６】
第２の記録媒体に選択手段が切り替わった場合、制御手段によるアクセス経路は第２の記録媒体側へ接続されアクセス信号がすべて第２の記録媒体側に切り替わる。
【００１７】
また、本発明の情報処理方法は、第１の記録媒体の識別情報を第１の記録領域から第２の記録領域に退避させる退避ステップと、着脱可能に装着された第２の記録媒体の識別情報を取得して第１の記録領域に更新して記録する更新ステップと、第１の記録領域に更新して記録された第２の記録媒体の識別情報に基づいて第２の記録媒体に情報の記録又は再生のためにアクセスする制御ステップとを備えたものである。
【００１８】
これにより、退避ステップ及び更新ステップにおいて第１の記録媒体の識別情報と第２の記録媒体の識別情報とを入れ替えることにより、制御ステップにおいて更新された識別情報に対応した記録媒体が認識される。制御ステップにより、初期搭載された記録媒体以外使用できないように識別情報の判別を行うことにより、ユニークな記録媒体の判別が行われ、動作可能の許可が制御される。
【００１９】
制御ステップによる動作可能の許可の制御は、退避ステップにより第１の記録媒体の識別情報を第１の記録領域から第２の記録領域に退避させ、更新ステップにより着脱可能に装着された第２の記録媒体の識別情報を取得して第１の記録領域に更新して記録することにより識別情報を書き換え、第２の記録媒体が使用できるように設定される。
【発明の効果】
【００２０】
本発明によれば、例えば既存のハードディスク(HDD）搭載ディジタル・バーサタイル・ディスク(DVD）レコーダーの内蔵ハードディスクの識別情報を別メモリーエリアへ退避させ、新たに外付けハードディスクの識別情報を書き込むことで起動の際に参照する識別情報を入替えることにより、外付けによるハードディスクを本体側マイコンが内蔵ハードディスクと認識し、内蔵ハードディスクと同様な機能として動作を可能とすることができる。
【００２１】
この場合、増設ハードディスク(HDD）ボックスを接続可能とする本体レコーダーは、メインシステム上内蔵ハードディスクのみの対応となんら変わらない制御で済み、本体レコーダー開発には負担が少なく、増設のメリットをその機種に付加することが可能となる。
【００２２】
従って、ハードディスクの増設や入れ替えを何ら特別な入れ替え設定を必要とせずに容易に可能とすることができる。ハードディスクの識別情報で増設や入れ替えを制限（不可能）にしている機種においてもハードディスクの増設や入れ替えを可能とすることができる。
【００２３】
また、着脱可能なハードディスクを自由に入れ替えすることができ、内部ハードディスク以外に容量を追加、変更することができる。さらに、大容量の上位モデルに拡張することによりハードディスク容量での差別化を図ることができる。この場合、最上位モデルのみ対応可能にしてもよい。
【００２４】
また、識別情報の更新を行うためのメモリと、アクセス経路を切り替えるための切替部と制御部を増設するのみでよく、本体レコーダーの開発負荷が小さく、処理としては内蔵ハードディスクのみのときとなんら変えずに可能となる。増設ハードディスクを本体レコーダーの外部に追加した場合にも、ハードディスクを内部／外部の２つ同時には認識しない処理とすることにより、処理を簡素化することができ、開発負荷のかからないシステムを構築することができる。
【００２５】
また、増設ハードディスクボックスを本体レコーダーと専用コネクタ・ケーブルで接続することにより他の機器との間で接続できないようにすることができる。この増設ハードディスクボックスによってのみ外付けハードディスクを増設することができる。この場合、他の類似コネクタが挿入できない構造かつ安全装置としてメカ的ロック機構を備えるようにしてもよい。
【００２６】
また、増設ハードディスクボックスには、単品のハードディスクドライブとして一般的に販売されているハードディスをユーザーが入替えることができる。ユーザーにとってはハードディスクの容量を増やすために新たに高価なセットを買い足すことなくハードディスクを増設ハードディスクボックスから取り出してライブラリとしてストックしておくことができる。パーソナルコンピュータなどで使用していたが現在未使用のハードディスクなども有効活用をすることができる。
【発明を実施するための最良の形態】
【００２７】
図１は、本発明の一実施形態に係る増設ハードディスク（HDD）ボックスユニット１０と、増設ハードディスク（HDD）ボックスユニット１０を接続するハードディスク（HDD）搭載ディジタル・バーサタイル・ディスク（DVD）レコーダー２４を示した接続図である。
【００２８】
本実施形態に係る増設ハードディスク(HDD）ボックスユニット１０は、専用接続ケーブル１２にて本体ハードディスク(HDD）搭載ディジタル・バーサタイル・ディスク(DVD）レコーダー２４と接続される。専用接続ケーブル１２は、パラレルATA(parallel attachment(IDEとも呼ばれる））(４０ピン)及び電源・グランドライン又はシリアルATA（Serial attachment）(７ピン)及び電源・グランドラインである。
【００２９】
増設ハードディスク(HDD）ボックス１０は、電源コード１７、電源スイッチ２１、電源LED２２、２３、アクセスランプ１９、HDDパワーランプ２０、挿入口１８からなっている。
【００３０】
HDDケース１３に、市販HDD１１を電源・グランドライン１４、HDD・ATA信号ライン１５を接続するコネクタ変換基板１６に設けられたコネクタと接続して取り付ける。増設ハードディスク(HDD）ボックス１０は、増設ハードディスク(HDD）ボックス１０の挿入口１８にHDD１１を取り付け済みのHDDケース１３を挿入し、コネクタ変換基板１６により変換されたコネクタにて増設ハードディスク(HDD）ボックス１０に接続済みの専用接続ケーブル１２に接続する。
【００３１】
図２は、増設ハードディスク(HDD）ボックスの機能を実現するための増設ハードディスク(HDD）ボックスとセット本体のハードディスク(HDD）搭載ディジタル・バーサタイル・ディスク(DVD）レコーダーにおける基板構成、接続の一例である。
【００３２】
図２に示すように、３２で示す増設HDD2とコネクタ変換基板３１をHDD・ATA信号ライン（PATA／SATA）３４、電源・グランドライン（VCC、GND）３３で接続し、電源ユニット３５から図示しないハーネスを経由してこれらに電源供給している。
【００３３】
増設ハードディスク(HDD）ボックス３０から専用ケーブル３６にてセット本体のハードディスク(HDD）搭載ディジタル・バーサタイル・ディスク(DVD）レコーダー３７に接続する。
【００３４】
対象となるセット本体３７には、HDDスイッチ基板３８を追加し、HDD・ATA信号ライン（PATA／SATA）４４、情報書き込み用信号ライン４３でセット本体制御基板４２に接続し、セット本体３７と増設ハードディスク(HDD）ボックス３０の間で動作をコントロール可能とする。
【００３５】
また、セット本体３７の３９で示す内蔵HDD1、３２で示す増設HDD2とセット本体制御基板４２のアクセス経路を選択的に切り替えるための操作スイッチ４５をセット本体３７の前面に追加する。操作スイッチ４５は、ライン４６によりHDDスイッチ基板３８に接続される。
【００３６】
なお、HDDに対するアクセスを行うためのATAコントロールラインは、従来のまま信号線を増やす必要はない。また、ビデオ・オーディオ基板４１とセット本体制御基板４２とを接続するライン４６、４７も、従来のまま信号線を増やす必要はない。
【００３７】
セット本体３７及び増設ハードディスク(HDD）ボックス１０は、３９で示す内蔵HDD1の識別情報を５６で示すフラッシュROM1に記録し、３９で示す内蔵HDD1の識別情報に基づいて３９で示す内蔵HDD1に情報の記録又は再生のためにアクセスする機能を備えたものである。
【００３８】
このセット本体３７及び増設ハードディスク(HDD）ボックス１０は、３９で示す内蔵HDD1の識別情報を５６で示すフラッシュROM1から５３で示すフラッシュROM２に退避させる機能と、着脱可能に装着された３２で示す増設HDD2の識別情報を取得して５６で示すフラッシュROM1に更新して記録する機能と、５６で示すフラッシュROM1に更新して記録された３２で示す増設HDD2の識別情報に基づいて３２で示す増設HDD2に情報の記録又は再生のためにアクセスを制御する機能を備えている。これらの機能は５２で示すマイコン2により実現される。
【００３９】
ここで、５２で示すマイコン2は、５６で示すフラッシュROM1に記録される３９で示す内蔵HDD1の識別情報又は３２で示す増設HDD2の識別情報に応じて、３９で示す内蔵HDD1又は３２で示す増設HDD2に対するアクセス経路をスイッチIC２０により切り替える機能を有している。
【００４０】
また、５２で示すマイコン2は、スイッチIC２０によるアクセス経路の切替状態と、アクセス経路の選択を可能とするスイッチ５７によるアクセス経路の選択状態とが相違するとき、スイッチIC２０によるアクセス経路の切替状態をスイッチ５７によるアクセス経路の選択状態に整合させる機能を有している。
【００４１】
また、５２で示すマイコン2は、スイッチ５７により３２で示す増設HDD2に対するアクセス経路の選択状態で３２で示す増設HDD2が離脱されたとき、スイッチIC２０により３９で示す内蔵HDD1に対するアクセス経路の切替状態にする機能を有している。
【００４２】
また、５２で示すマイコン2は、スイッチIC２０により３２で示す増設HDD2に対するアクセス経路の切替状態からスイッチ５７により３９で示す内蔵HDD1に対するアクセス経路の選択状態が選択されたとき、スイッチIC２０により３９で示す内蔵HDD1に対するアクセス経路の切替状態にする機能を有している。
【００４３】
図３に、HDDスイッチ基板３８及びセット本体制御基板４２のブロック構成を示す。
図３図において、主な処理、動作を説明する。
まず、工場製造時のHDD情報書き込み処理として、５２で示すマイコン2が５３で示すフラッシュROM２へ５６で示すフラッシュROM1の識別情報を書き込む処理を追加する。また、５５で示すマイコン1が５６で示すフラッシュROM1に識別情報を書き込む際に５３で示すフラッシュROM２へも書き込むという処理を追加する。
【００４４】
次に、動作時の主な処理として、以下の処理を行う。
第１に、増設ハードディスク(HDD）ボックス１０の電源ON時の処理として、５２で示すマイコン2が３２で示す増設HDD2の電源ON判別をし、３２で示す増設HDD2の識別情報としてシリアル番号と容量、メーカー名、型番、ファームウエア情報などの情報を問い合わせ（IDENTIFY DEVICE）コマンドで入手し５３で示すフラッシュROM２にこの情報を書き込む。
【００４５】
第２に、本体レコーダーのHDD2に対するスイッチ５７の選択操作で増設ハードディスク(HDD）ボックスへチャンネル切り替えされた時の処理は、５２で示すマイコン2が５３で示すフラッシュROM２より５６で示すフラッシュROM1に増設ハードディスク(HDD）ボックス内の３２で示す増設HDD2の識別情報としてシリアル番号と容量などを書き込む。スイッチ５７は図２に示した操作スイッチ４５に対応する。
【００４６】
このとき、５２で示すマイコン2は、いままで使用していた３９で示す内蔵HDD1に対して、データ転送が行われていないかを、チェックする。これは、情報の書き込み又は読み込み中にHDDのチャンネル切り替えが行われることを防止するためである。
【００４７】
そこで、５２で示すマイコン2がスイッチIC２０へ情報転送のためのバスラインのチャンネル切り替えを指示し、チャンネルを切り替える。
【００４８】
そして、５２で示すマイコン2が５５で示すマイコン1にリセットコマンドを発行し、５５で示すマイコン1の認識する対象が３９で示す内蔵HDD1から３２で示す増設HDD2へ切り替わる。これにより、５５で示すマイコン1は３２で示す増設HDD2との情報のやり取りをする動作にすべて切り替わる。このとき５５で示すマイコン1から３９で示す内蔵HDD1には通信は一切行なわれない。
【００４９】
５５で示すマイコン1からはHDDは１つしか認識されず、５５で示すマイコン1の動作対象が３９で示す内蔵HDD1から３２で示す増設HDD2に入れ替わったかのような振る舞いをする。このときの５５で示すマイコン1の本体制御方法は、HDDがひとつの時となんら変わらない動作である。
【００５０】
また、第３に、本体レコーダーのHDD2に対するスイッチ５７の選択操作で、増設ハードディスク(HDD）ボックス１０から３９で示す内蔵HDD1へチャンネル切り替えした時の処理は、５２で示すマイコン2が５３で示すフラッシュROM2から本体の３９で示す内蔵HDD1の識別情報としてシリアル番号と容量、メーカー名、型番、ファームウエア情報などを５６で示すフラッシュROM1に書き込む。
【００５１】
このとき、５２で示すマイコン2は、いままで使用していた３２で示す増設HDD2に対して、データ転送が行われていないかを、チェックする。これは、情報の書き込み又は読み込み中にHDDのチャンネル切り替えが行われることを防止するためである。
【００５２】
５２で示すマイコン2がスイッチIC２０へ情報転送のためのバスラインのチャンネル切り替えを指示し、チャンネルを切り替える。
【００５３】
そして、５２で示すマイコン2が５５で示すマイコン1にリセットコマンドを発行し、５５で示すマイコン1の認識する対象が３２で示す増設HDD2から３９で示す内蔵HDD1へ切り替わる。これにより、５５で示すマイコン1は３９で示す内蔵HDD1との情報のやり取りをする動作にすべて切り替わる。このとき５５で示すマイコン１から３２で示す増設HDD2には通信は一切行なわれない。
【００５４】
５５で示すマイコン1からはHDDは１つしか認識されず、５５で示すマイコン1の動作対象が３２で示す増設HDD2から３９で示す内蔵HDD1に入れ替わったかのような振る舞いをする。このときの５５で示すマイコン1の本体制御方法はHDDがひとつの時となんら変わらない動作である。
【００５５】
また、第４に、想定外のスイッチ５７の選択操作に対する保護として、３２で示す増設HDD2選択時において、３２で示す増設HDD2の取り外しなどが行われた場合には、以下の動作をする。このときは、HDDスイッチ基板５０上の５２で示すマイコン2が外付けの３２で示す増設HDD2の状態を常に感知する。そこで、５２で示すマイコン2は側３９で示す内蔵HDD1への切り替え処理を即時に行う。
【００５６】
図４は、各部の主な処理の動作を示すタイムチャートである。図４は、３２で示す増設HDD2と、５２で示すマイコン2と、５３で示すフラッシュROM2と、スイッチIC２０と、５５で示すマイコン1との間の動作を示す図である。
【００５７】
図４において、まず、Ｔ１０で示す増設ハードディスク(HDD）ボックス１０の電源ON時の動作を説明する。
Ｔ１１で３２で示す増設HDD2から５２で示すマイコン2へ増設ハードディスク(HDD）ボックス１０の電源ON信号が供給される。Ｔ１２で５２で示すマイコン2から３２で示す増設HDD2へ増設HDD2の識別情報IDを要求する問い合わせがされる。Ｔ１３で３２で示す増設HDD2から５２で示すマイコン2へ増設HDD2の識別情報IDが供給される。Ｔ１４で５２で示すマイコン2から５３で示すフラッシュROM2へ増設HDD2の識別情報IDが格納される。Ｔ１５で５２で示すマイコン2から３２で示す増設HDD2へスタンバイ要求がされる。
【００５８】
次に、Ｔ２０で示すスイッチ５７の選択操作で３２で示す増設HDD2へチャンネル切り替えされた時の動作を説明する。
Ｔ２１で５２で示すマイコン2からスイッチIC２０へ増設HDD2へのチャンネル切り替えの要求がされる。Ｔ２２で５２で示すマイコン2から５３で示すフラッシュROM2へ増設HDD2の識別情報IDが要求される。Ｔ２３で５３で示すフラッシュROM2から５２で示すマイコン2へ増設HDD2の識別情報IDが供給される。Ｔ２４で５２で示すマイコン2から５５で示すマイコン1へ増設HDD2への識別情報IDの変更が要求される。Ｔ２５で５５で示すマイコン1から５２で示すマイコン2へ増設HDD2への識別情報IDの変更応答が返却される。Ｔ２６で５２で示すマイコン2から５５で示すマイコン1へセット本体のリセット要求がされる。
【００５９】
次に、Ｔ３０で示すスイッチ５７の選択操作で３９で示す内蔵HDD1へチャンネル切り替えされた時の動作を説明する。
Ｔ３１で５２で示すマイコン2からスイッチIC２０へ内蔵HDD1へのチャンネル切り替えの要求がされる。Ｔ３２で５２で示すマイコン2から５３で示すフラッシュROM2へ内蔵HDD1の識別情報IDが要求される。Ｔ３３で５３で示すフラッシュROM2から５２で示すマイコン2へ内蔵HDD1の識別情報IDが供給される。Ｔ３４で５２で示すマイコン2から５５で示すマイコン1へ内蔵HDD1への識別情報IDの変更が要求される。Ｔ３５で５５で示すマイコン1から５２で示すマイコン2へ内蔵HDD1への識別情報IDの変更応答が返却される。Ｔ３６で５２で示すマイコン2から５５で示すマイコン1へセット本体のリセット要求がされる。
【００６０】
図５は、セット本体３７に増設ハードディスク(HDD）ボックス１０を接続後に、増設ハードディスク(HDD）ボックス１０の電源投入されたときの動作を示すフローチャートである。
図５において、図１に示す増設ハードディスク(HDD）ボックス１０のフロント基板の増設HDD2の電源スイッチ２１が投入されると（ステップＳ１）、増設HDD2は動作指示を待機するスタンバイ状態に移行する（ステップＳ２）。
【００６１】
５２で示すマイコン2は、動作準備が完了か否かを判断する（ステップＳ３）。ステップＳ３の判断で５２で示すマイコン2が動作準備が完了しているときは、ステップＳ４へ移行する。
【００６２】
５２で示すマイコン2は、３２で示す増設HDD2の識別情報IDを５３で示すフラッシュROM2へ書き込みが完了か否かを判断する（ステップＳ４）。
【００６３】
ステップＳ４の判断で５２で示すマイコン2が３２で示す増設HDD2の識別情報IDを５３で示すフラッシュROM2へ書き込みが完了したときは、５２で示すマイコン2は、３２で示す増設HDD2を省電力モードに移行させる（ステップＳ５）。
【００６４】
ステップＳ３の判断で５２で示すマイコン2が動作準備が完了していないときは、ステップＳ６へ移行して、図１に示す増設ハードディスク(HDD）ボックス１０のフロント基板のアクセスランプ１９の赤ランプを点灯させてエラー表示をした後に（ステップＳ６）、５２で示すマイコン2は、５３で示すフラッシュROM2の内容を消去する（ステップＳ７）。
【００６５】
ステップＳ４の判断で５２で示すマイコン2が３２で示す増設HDD2の識別情報IDを５３で示すフラッシュROM2へ書き込みが完了しないときは、ステップＳ６へ移行して、図１に示す増設ハードディスク(HDD）ボックス１０のフロント基板のアクセスランプ１９の赤ランプを点灯させてエラー表示をした後に（ステップＳ８）、５２で示すマイコン2は、５３で示すフラッシュROM2の内容を消去する（ステップＳ９）。
【００６６】
図６は、通常の本体レコーダー起動時の動作を示すフローチャートである。
図６において、図２に示すセット本体３７の電源スイッチが投入されると（ステップＳ１１）、５５で示すマイコン1は動作モードを判別する（ステップＳ１２）。
【００６７】
ステップＳ１２の判断でマイコン1は動作モードが増設HDD2モードであると判別したときは、５５で示すマイコン1は３２で示す増設HDD2の識別情報IDと５３で示すフラッシュROM2に格納されている識別情報が一致するか否かを判別する（ステップＳ１３）。
【００６８】
ステップＳ１３の判断でマイコン1は増設HDD2の識別情報IDとフラッシュROM2に格納されている識別情報が一致するときは（ステップＳ１４）、システムを起動する（ステップＳ１５）。
【００６９】
ステップＳ１２の判断でマイコン1は動作モードがDVDモードであると判別したときは、直ちにシステムを起動する（ステップＳ１６）。ステップＳ１２の判断でマイコン1は動作モードが内蔵HDD1モードであると判別したときは、直ちにシステムを起動する（ステップＳ１７）。
【００７０】
ステップＳ１３の判断でマイコン1は増設HDD2の識別情報IDとフラッシュROM2に格納されている識別情報が一致しないときは（ステップＳ１４）、５５で示すマイコン1は５２で示すマイコン2へ内蔵HDD1モードへのチャンネル切り替えの命令を出力する（ステップＳ１８）。
【００７１】
５２で示すマイコン2は内蔵HDD1モードへのチャンネル切り替えを行う（ステップＳ１９）。５２で示すマイコン2は５３で示すフラッシュROM2に格納されている内蔵HDD1の識別情報を５６で示すフラッシュROM1に書き込む（ステップＳ２０）。
【００７２】
５２で示すマイコン2は５５で示すマイコン1へリセットコマンドを発行する（ステップＳ２１）。５５で示すマイコン1は再起動時の内蔵HDD1モードでの起動を実行する（ステップＳ２２）。
【００７３】
図７は、本体レコーダーのスイッチ５７の選択操作で３２で示す増設HDD2へチャンネル切り替えされた時の動作を示すフローチャートである。
図７において、セット本体３７の図３に示すスイッチ５７の選択操作で３２で示す増設HDD2へチャンネル切り替えが選択されたか否かを判別する（ステップＳ３１）。
【００７４】
ステップＳ３１の判断で増設HDD2へチャンネル切り替えが選択されたときは、マイコン1は現行の動作モードを判別する（ステップＳ３２）。ステップＳ３２で現行の動作モードが内蔵HDD1モードであるときは、マイコン1は増設HDD2に対する問い合わせに対する反応があるか否かを判別する（ステップＳ３３）。
【００７５】
ステップＳ３３の判断でマイコン1は増設HDD2に対する問い合わせに対する反応があるときは、５２で示すマイコン2は３２で示す増設HDD2の識別情報IDと５３で示すフラッシュROM2に格納されている識別情報が一致するか否かを判別する（ステップＳ３４）。
【００７６】
ステップＳ３４の判断でマイコン2は増設HDD2の識別情報IDとフラッシュROM2に格納されている識別情報が一致するときは、５５で示すマイコン1は５２で示すマイコン2へ増設HDD2モードへのチャンネル切り替えの命令を出力する（ステップＳ３５）。
【００７７】
５２で示すマイコン2は増設HDD2モードへのチャンネル切り替えを行う（ステップＳ３６）。５２で示すマイコン2は５３で示すフラッシュROM2に格納されている増設HDD2の識別情報を５６で示すフラッシュROM1に書き込む（ステップＳ３７）。
【００７８】
５２で示すマイコン2は５５で示すマイコン1へリセットコマンドを発行する（ステップＳ３８）。５５で示すマイコン1は増設HDD2モードでシステムを起動する（ステップＳ３９）。
【００７９】
ステップＳ３１の判断で内蔵HDD1が記録動作時のときは、マイコン1は内蔵HDD1が記録動作中のため移行できないというエラー状態の点滅を図１に示す増設ハードディスク(HDD）ボックス１０のフロント基板のアクセスランプ１９に出力する（ステップＳ４０）。
【００８０】
ステップＳ３２で現行の動作モードがDVDモードであるときは、マイコン1は前回のモードを判別する（ステップＳ４１）。ステップＳ４１で前回の動作モードが内蔵HDD1モードであるときは、ステップＳ３３へ移行する。ステップＳ４１で前回の動作モードが増設HDD2モードのときは、５５で示すマイコン1は３２で示す増設HDD2の識別情報IDと５３で示すフラッシュROM2に格納されている識別情報が一致するか否かを判別する（ステップＳ４２）。
【００８１】
ステップＳ４２の判断でマイコン1は増設HDD2の識別情報IDとフラッシュROM2に格納されている識別情報が一致するときは、増設HDD2モードでシステムを起動する（ステップＳ４３）。
【００８２】
ステップＳ４２の判断で、３２で示す増設HDD2の取り外しなどが行われて、マイコン1は増設HDD2の識別情報IDとフラッシュROM2に格納されている識別情報が一致しないときは、５５で示すマイコン1は５２で示すマイコン2へ内蔵HDD1モードへのチャンネル切り替えの命令を出力する（ステップＳ４４）。
【００８３】
５２で示すマイコン2は内蔵HDD1モードへのチャンネル切り替えを行う（ステップＳ４５）。５２で示すマイコン2は５３で示すフラッシュROM2に格納されている内蔵HDD1の識別情報を５６で示すフラッシュROM1に書き込む（ステップＳ４６）。
【００８４】
５２で示すマイコン2は５５で示すマイコン1へリセットコマンドを発行する（ステップＳ４７）。５５で示すマイコン1は内蔵HDD1モードでシステムを起動する（ステップＳ４８）。
【００８５】
なお、ステップＳ３３の判断でマイコン1は増設HDD2に対する問い合わせに対する反応がないとき、及びステップＳ３４の判断でマイコン2は増設HDD2の識別情報IDとフラッシュROM2に格納されている識別情報が一致しないときは、直ちに５５で示すマイコン1は内蔵HDD1モードでシステムを起動する（ステップＳ４８）。
【００８６】
図８は、本体レコーダーのスイッチ５７の選択操作で３９で示す内蔵HDD1へチャンネル切り替えされた時の動作を示すフローチャートである。
図８において、セット本体３７の図３に示すスイッチ５７の選択操作で３９で示す内蔵HDD1へチャンネル切り替えが選択されたか否かを判別する（ステップＳ５１）。
【００８７】
ステップＳ５１の判断で３９で示す内蔵HDD1へチャンネル切り替えが選択されたときは、マイコン1は切替時の動作モードを判別する（ステップＳ５２）。ステップＳ５２で切替時の動作モードが増設HDD2モードであるときは、５５で示すマイコン1は５２で示すマイコン2へ内蔵HDD1モードへのチャンネル切り替えの命令を出力する（ステップＳ５３）。
【００８８】
５２で示すマイコン2は内蔵HDD1モードへのチャンネル切り替えを行う（ステップＳ５４）。５２で示すマイコン2は５３で示すフラッシュROM2に格納されている内蔵HDD1の識別情報を５６で示すフラッシュROM1に書き込む（ステップＳ５５）。
【００８９】
５２で示すマイコン2は５５で示すマイコン1へリセットコマンドを発行する（ステップＳ５６）。５５で示すマイコン1は内蔵HDD1モードでシステムを起動する（ステップＳ５７）。
【００９０】
ステップＳ５１の判断で内蔵HDD1が記録動作時のときは、マイコン1は内蔵HDD1が記録動作中のため移行できないというエラー状態の点滅を図１に示す増設ハードディスク(HDD）ボックス１０のフロント基板のアクセスランプ１９に出力する（ステップＳ５８）。
【００９１】
ステップＳ５２で切替時の動作モードがDVDモードであるときは、マイコン1は前回のモードを判別する（ステップＳ５９）。ステップＳ５９で前回の動作モードが内蔵HDD1モードであるときは、ステップＳ５３へ移行する。ステップＳ５９で前回の動作モードが内蔵HDD1モードのときは、マイコン1は内蔵HDD1モードでシステムを起動する（ステップＳ６０）。
【００９２】
図９は、増設HDD2が異常時の動作を示すフローチャートである。
図９において、５５で示すマイコン1は、３２で示す増設HDD2に対してアクセスして、データ転送を行う（ステップＳ６１）。５５で示すマイコン1は、増設HDD2に対するアクセスがタイムアウトであると判断する（ステップＳ６２）。
【００９３】
マイコン1は、起動時の動作モードを判別する（ステップＳ６３）。ステップＳ６３で切替時の動作モードが増設HDD2モードであるときは、５５で示すマイコン1は５２で示すマイコン2へ内蔵HDD1モードへのチャンネル切り替えの命令を出力する（ステップＳ６４）。
【００９４】
５２で示すマイコン2は内蔵HDD1モードへのチャンネル切り替えを行う（ステップＳ６５）。５２で示すマイコン2は５３で示すフラッシュROM2に格納されている内蔵HDD1の識別情報を５６で示すフラッシュROM1に書き込む（ステップＳ６６）。
【００９５】
５２で示すマイコン2は５５で示すマイコン1へリセットコマンドを発行する（ステップＳ６７）。５５で示すマイコン1は内蔵HDD1モードでシステムを起動する（ステップＳ６８）。
【００９６】
ステップＳ６３で切替時の動作モードが内蔵HDD1モードであるときは、マイコン1は増設HDD2が異常であるというエラー状態の点滅を図１に示す増設ハードディスク(HDD）ボックス１０のフロント基板のアクセスランプ１９に出力する（ステップＳ６９）。
【００９７】
上述したように本実施の形態では、増設ハードディスク(HDD）ボックス１０はハードディスクドライブHDDを取り付け、取り外しが可能に構成している。
また、増設ハードディスク(HDD）ボックス１０は専用のコネクタで本体レコーダー２４と接続されるように構成している。
【００９８】
また、本体HDD搭載レコーダー２４は、初期搭載HDD以外使用できないよう搭載されるHDDの識別情報HDD-IDを工場出荷時に内部メモリ（フラッシュROM1）にリファレンスIDとして書き込み、動作時にその都度内部メモリ内書き込み済IDとHDD本体IDを比較して、判別をすることにより、搭載されているHDDがリファレンスIDかどうかの判別を行い、動作可能許可を行なっている。
【００９９】
そこで、HDDスイッチ基板内のマイコン2を用いて本体側のマイコン1にアクセスをして、本体の内部メモリ（フラッシュROM1）が記憶しているレファレンスID情報を別メモリー（フラッシュROM2）に移動/退避させ、増設ハードディスク(HDD）ボックス１０内の増設HDD-IDを新たなリファレンスIDとして書き換えられるシステムを構築して、外付けHDDが使用できるように設定を行う。この退避の動作は、起動時に本体の内部メモリ（フラッシュROM1）に記憶するレファレンスID情報を別メモリー（フラッシュROM2）に対しても記憶することにより実行してもよい。
【０１００】
内蔵HDDへ切り替えた場合はフラッシュROM2に退避させたHDD-IDを再度読み込む。
本体側HDD切替えボタン４５に増設ハードディスク(HDD）ボックス（HDD-2）モード選択釦４５を新たに追加したので、このボタン４５の切替制御（HDD-ID書込命令、LED点灯命令など）は、HDD-スイッチ基板上のマイコン2が行うようにした。それ以外（HDD1/DVD)モードの選択釦４５は、現行どおり本体マイコン1が制御を行うようにしている。
【０１０１】
そこで、HDD2に切替釦４５が切り替わった場合、マイコン2が制御を増設HDD側に切り替えると、ATA信号がすべて増設HDD側へ接続される。ATA信号は、シリアルATA/ハ゜ラレルATAどちらのインターフェースでもシリアル⇔パラレル変換機能追加により対応可能である。
【０１０２】
これにより、HDDのID管理による固有HDD以外を接続不可とするシステムを有するHDD搭載レコーダーにて基本機能を変更することなく、HDD-ID管理システムも変えずに外付けHDDを搭載できるシステムを提供することができる。
【０１０３】
従って、HDDのマスター／スレーブの機能を使用するか否かに関わらず、制御ライン、信号ラインを切り替え、HDD−ID管理を保ちつつ、内蔵HDDまたは外付けHDDの使い分けが可能となるシステムを構築することができる。
【０１０４】
上述した本実施の形態では、５３で示すフラッシュROM2と５６で示すフラッシュROM１とをそれぞれ単体で示したが、これに限らず、同一メモリ内の異なる領域としてもよい。また、５５で示すマイコン1と５２で示すマイコン2とをそれぞれ単体で示したが、これに限らず、同一マイコンで切替動作モードと擬似動作モードとを遷移するようにしてもよい。
【図面の簡単な説明】
【０１０５】
【図１】本発明の一実施形態に係る増設ハードディスク(HDD）ボックスの概要を示す図である。
【図２】増設ハードディスク(HDD）ボックスとセット本体内の接続構成を示す図である。
【図３】HDDスイッチ基板及びセット本体制御基板のブロック構成を示す図である。
【図４】主な処理の動作を示すタイムチャートである。
【図５】増設HDD接続後、電源投入時のフローチャートである。
【図６】通常の本体レコーダー起動時のフローチャートである。
【図７】本体切替ボタンが増設HDD側へ切替え時のフローフローチャートである。
【図８】本体切替ボタンが内部HDD側へ切替え時のフローフローチャートである。
【図９】増設HDD異常時のフローフローチャートである。
【符号の説明】
【０１０６】
１０…増設ハードディスク(HDD）ボックス、１１…市販HDD、１２…専用接続ケーブル、１３…HDDケース、１４…電源・グランドライン、１５…HDD−ATA信号ライン、１６…コネクタ変換基板、１７…電源コード、１８…挿入口、１９…アクセスランプ、２０…HDDパワーランプ、２１…電源スイッチ、２２，２３…電源LED、２４…HDD搭載DVDレコーダー本体、３０…増設ハードディスク(HDD）ボックス、３１…コネクタ変換基板、３２…増設HDD2、３３…電源・グランドライン、３４…HDD−ATA信号ライン、３５…電源ユニット、３６…専用接続ケーブル、３７…セット本体、３８…HDDスイッチ基板、３９…内蔵HDD1、４０…HDD−ATA信号ライン、４１…ビデオ・オーディオ基板、４２…セット本体制御基板、４３…情報書き込み用信号ライン、４４…ATAコントロールライン、４５…選択ボタン、４６…KEYコントロールライン、４７…AVコントロールライン、５０…HDDスイッチ基板、５１…S／P変換、５２…マイコン2、５３…フラッシュROM2、５５…マイコン1、５６…フラッシュROM1、５７…スイッチ、
【図１】
2006163818.tif 000003
【図２】
2006163818.tif 000004
【図３】
2006163818.tif 000005
【図４】
2006163818.tif 000006
【図５】
2006163818.tif 000007
【図６】
2006163818.tif 000008
【図７】
2006163818.tif 000009
【図８】
2006163818.tif 000010
【図９】
2006163818.tif 000011